【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
呼吸圧力治療デバイスの患者の使用に関連した患者データを管理するシステムであって、該システムは、１つまたは複数のコンピューティングデバイスを含み、該コンピューティングデバイスは、
一組の命令を含むサブスクリプションにアクセスし、
呼吸圧力治療デバイスの患者の使用に関連した使用データを収集し、
前記呼吸圧力治療デバイスの患者の使用に少なくとも部分的に関連するトリガリングイベントが発生したと決定し、
前記サブスクリプションに従って前記使用データの少なくとも一部を送信する、
ように構成され、
前記システムは、前記使用データを収集するステップ、前記トリガリングイベントを識別するステップ、および前記使用データの少なくとも一部を送信するステップ、のうちの少なくとも１つが、サブスクリプションに従って実行されるように構成される、システム。
【請求項２】
前記サブスクリプションは、前記使用が送信される前に、満たされるべき複数の状態を識別し、前記トリガリングイベントは、前記状態のそれぞれが満たされたという決定を含む、請求項１に記載のシステム。
【請求項３】
前記トリガリングイベントは、前記使用データの或る側面において発生した変化に基づく、請求項１または２に記載のシステム。
【請求項４】
前記トリガリングイベントは、所定の期間の間、患者が患者デバイスを使用することを終了したことに基づく、請求項１または２に記載のシステム。
【請求項５】
前記使用データは、患者デバイスが使用された期間を識別する、請求項１〜４のいずれか一項に記載のシステム。
【請求項６】
前記使用データは、患者の無呼吸指数、呼吸低下指数、無呼吸−呼吸低下指数、 圧力統計、漏れ統計、分当たり換気量、１回換気量、および処方設定、のうちの少なくとも１つに関する、請求項１〜５のいずれか一項に記載のシステム。
【請求項７】
前記サブスクリプションは、患者デバイスによって収集される個々のデータ項目の、ユーザーによる選択に基づいて少なくとも部分的に生成される、請求項１〜６のいずれか一項に記載のシステム。
【請求項８】
前記サブスクリプションは、使用データのサブセットを識別し、使用データの各サブセットに対する１つまたは複数のトリガリングイベントを識別する、請求項１〜７のいずれか一項に記載のシステム。
【請求項９】
前記使用データのサブセットは、デバイス設定、デバイス使用、故障、およびデバイスタイプに依存するデータ、のうちの少なくとも１つに関連したデータのサブセットを含む、請求項８に記載のシステム。
【請求項１０】
前記サブスクリプションに従って収集される前記使用データは、経時的に変化する、請求項１〜９のいずれか一項に記載のシステム。
【請求項１１】
前記トリガリングイベントは、ａ）患者デバイスの１つまたは複数の設定での変化、ｂ）患者デバイスの１つまたは複数の構成要素での故障状態、ｃ）所定時間、およびｄ）使用データに対する要求を受信すること、のうちの少なくとも１つに、少なくとも部分的に関連する、請求項１〜１０のいずれか一項に記載のシステム。
【請求項１２】
患者デバイスに対する電源がトリガリングイベントの前にスイッチオフされると、前記患者デバイスが電源オンの状態であるときに、前記トリガリングイベントが発生したことを決定する、請求項１〜１１のいずれか一項に記載のシステム。
【請求項１３】
前記トリガリングイベントは、睡眠データに基づいており、前記トリガリングイベントは、治療後期間、および治療セッションの最小期間、のうちの少なくとも１つを含む、請求項１〜１２のいずれか一項に記載のシステム。
【請求項１４】
前記サブスクリプションは、概要使用データとして提供される使用データの第１のサブセット、および詳細使用データとして提供される使用データの第２のサブセットを識別する、請求項１〜１２のいずれか一項に記載のシステム。
【請求項１５】
送信される前記使用データの一部は、経時的に減少する、請求項１〜１４のいずれか一項に記載のシステム。
【請求項１６】
送信される前記使用データの一部は、前記使用データの概要を示す代表値として提供される、請求項１〜１５のいずれか一項に記載のシステム。
【請求項１７】
患者データを管理する方法であって、
１つまたは複数のプロセッサーによって、複数の患者デバイスから使用データの送信を受信するステップであって、使用データのそれぞれの送信は、一組の命令で識別されたトリガリングイベントに従って発生され、該トリガリングイベントは、前記複数の患者デバイスのうちの或る患者デバイスの患者の使用に少なくとも部分的に関連する、ステップと、
前記１つまたは複数のプロセッサーによって、前記使用データをメモリに格納するステップであって、前記使用データは、受信された前記送信の送信元である、前記複数の患者デバイスのうちの各患者デバイスに関連付けて格納される、ステップと、
前記１つまたは複数のプロセッサーによって、格納された使用データの少なくとも一部に対する要求を受信するステップと、
前記１つまたは複数のプロセッサーによって、要求された使用データの一部を送信するステップと、
を含む、方法。
【請求項１８】
前記一組の命令は、前記使用が送信される前に、満たされるべき複数の状態を識別し、前記トリガリングイベントは、前記状態のそれぞれが満たされたという決定を含む、請求項１７に記載の方法。
【請求項１９】
使用データの送信を受信するステップは、第１の患者デバイスから第１のセットの使用データを受信し、第２の患者デバイスから第２のセットの使用データを受信するステップを含み、前記第１のセットの使用データは、第１のトリガリングイベントに従って送信され、前記第２のセットの使用データは、第２のトリガリングイベントに従って送信される、請求項１７または１８に記載の方法。
【請求項２０】
前記第１のトリガリングイベントおよび前記第２のトリガリングイベントは、異なる基準に基づく、請求項１９に記載の方法。
【請求項２１】
格納された使用データの少なくとも一部に対する要求は、前記複数の患者から第１の患者を識別し、前記使用データの一部は、該第１の患者に関連付けられる、請求項１７〜２０のいずれか一項に記載の方法。
【請求項２２】
前記一組の命令は、所定の期間、前記患者デバイスを使用することを終了した患者、または前記使用データの或る側面において発生した変化、のうちの１つとして前記トリガリングイベントを識別する、請求項１７〜２１のいずれか一項に記載の方法。
【請求項２３】
前記使用データは、前記複数の患者デバイスのうちの各患者デバイスが使用された期間に関連する、請求項１７〜２２のいずれか一項に記載の方法。
【請求項２４】
前記トリガイベントが関連する患者デバイスの患者の使用は、該患者デバイスの動作モードに少なくとも部分的に基づく、請求項１〜１６のいずれか一項に記載のシステム。
【請求項２５】
前記トリガイベントが関連する患者デバイスの患者の使用は、該患者が治療を受けた累積時間量に少なくとも部分的に基づく、請求項１〜１６のいずれか一項に記載のシステム。
【請求項２６】
前記使用データの或る側面における変化は、所定量より大きい、前記使用データにおけるずれを決定することを含む、請求項３に記載のシステム。
【手続補正２】
【補正対象書類名】明細書
【補正対象項目名】０１８３
【補正方法】変更
【補正の内容】
【０１８３】
従って、本発明の技術の精神および範囲から逸脱することなく、例示的な実施形態に対して多数の変更をなすことができること、および、他の構成を考え出すことができることを理解されたい。
なお、出願当初の特許請求の範囲の記載は以下の通りである。
請求項１：
呼吸圧力治療デバイスの患者の使用に関連した患者データを管理する方法であって、
１つまたは複数のプロセッサーによって、一組の命令を含むサブスクリプションにアクセスするステップと、
前記１つまたは複数のプロセッサーによって、患者デバイスの使用データを収集するステップと、
前記１つまたは複数のプロセッサーによって、トリガリングイベントが発生したと決定するステップと、
前記１つまたは複数のプロセッサーによって、収集された使用データの少なくとも一部を送信するステップと、
を含み、
前記使用データを収集するステップ、前記トリガリングイベントを決定するステップ、および前記使用データの少なくとも一部を送信するステップ、のうちの少なくとも１つは、サブスクリプションに従って実行される、方法。
請求項２：
前記サブスクリプションは、前記使用が送信される前に、満たされるべき複数の状態を識別し、前記トリガリングイベントは、該状態のそれぞれが満たされたという決定を含む、請求項１に記載の方法。
請求項３：
前記トリガリングイベントは、前記使用データの或る側面において発生した特定の変化に基づいている、請求項１または２に記載の方法。
請求項４：
前記患者デバイスは、ＣＰＡＰデバイスを含む、請求項１〜３のいずれか一項に記載の方法。
請求項５：
前記トリガリングイベントは、所定の期間の間、患者が患者デバイスを使用することを終了したことに基づく、請求項１〜４のいずれか一項に記載の方法。
請求項６：
前記使用データは、患者デバイスが使用された期間を識別する、請求項１〜５のいずれか一項に記載の方法。
請求項７：
前記使用データは、患者の無呼吸指数、呼吸低下指数、無呼吸−呼吸低下指数、漏れおよび圧力の統計、分当たり換気量、１回換気量、および処方設定、のうちの少なくとも１つに関する、請求項１〜６のいずれか一項に記載の方法。
請求項８：
前記サブスクリプションは、前記患者デバイスによって収集される個々のデータ項目の、ユーザーによる選択に基づいて、少なくとも部分的に生成される、請求項１〜７のいずれか一項に記載の方法。
請求項９：
前記サブスクリプションは、使用データのサブセットを識別し、使用データの各サブセットに対する１つまたは複数のトリガリングイベントを識別する、請求項１〜８のいずれか一項に記載の方法。
請求項１０：
前記使用データのサブセットは、デバイス設定、デバイス使用、故障、およびデバイスタイプに依存するデータ、のうちの少なくとも１つに関連したデータのサブセットを含む、請求項９に記載の方法。
請求項１１：
前記サブスクリプションに従って収集される前記使用データは、経時的に変化する、請求項１〜１０のいずれか一項に記載の方法。
請求項１２：
前記トリガリングイベントは、ａ）前記患者デバイスの１つまたは複数の設定での変化、ｂ）患者デバイスの１つまたは複数の構成要素での故障状態、ｃ）所定時間、およびｄ）使用データに対する要求を受信すること、のうちの少なくとも１つである、請求項１〜１１のいずれか一項に記載の方法。
請求項１３：
前記患者デバイスに対する電源がトリガリングイベントの前にスイッチオフされると、患者デバイスが電源オンの状態にあるときに、前記トリガリングイベントが発生したことを決定するステップを実行する、請求項１〜１２のいずれか一項に記載の方法。
請求項１４：
前記トリガリングイベントは、睡眠データに基づき、前記トリガリングイベントは、治療後期間、および治療セッションの最小期間、のうちの少なくとも一方を含む、請求項１〜１３のいずれか一項に記載の方法。
請求項１５：
前記サブスクリプションは、概要使用データとして提供される使用データの第１のサブセット、および詳細使用データとして提供される使用データの第２のサブセットを識別する、請求項１〜１４のいずれか一項に記載の方法。
請求項１６：
送信される前記使用データの一部は、経時的に減少する、請求項１〜１５のいずれか一項に記載の方法。
請求項１７：
送信される前記使用データの一部は、前記使用データの概要を示す代表値として提供される、請求項１〜１６のいずれか一項に記載の方法。
請求項１８：
呼吸圧力治療デバイスの患者の使用に関連した患者データを管理するシステムであって、該システムは、１つまたは複数のコンピューティングデバイスを含み、該コンピューティングデバイスは、
一組の命令を含むサブスクリプションにアクセスし、
呼吸圧力治療デバイスの患者の使用に関連した使用データを収集し、
トリガリングイベントが発生したと決定し、
前記サブスクリプションに従って前記使用データの少なくとも一部を送信する、
ように構成され、
前記システムは、前記使用データを収集するステップ、前記トリガリングイベントを識別するステップ、および前記使用データの少なくとも一部を送信するステップ、のうちの少なくとも１つが、サブスクリプションに従って実行されるように構成される、システム。
請求項１９：
前記サブスクリプションは、前記使用が送信される前に、満たされるべき複数の状態を識別し、前記トリガリングイベントは、前記状態のそれぞれが満たされたという決定を含む、請求項１８に記載のシステム。
請求項２０：
前記トリガリングイベントは、前記使用データの或る側面において発生した変化に基づく、請求項１８または１９に記載のシステム。
請求項２１：
前記トリガリングイベントは、所定の期間の間、患者が患者デバイスを使用することを終了したことに基づく、請求項１８または１９に記載のシステム。
請求項２２：
前記使用データは、患者デバイスが使用された期間を識別する、請求項１８〜２１のいずれか一項に記載のシステム。
請求項２３：
前記使用データは、患者の無呼吸指数、呼吸低下指数、無呼吸−呼吸低下指数、 圧力統計、漏れ統計、分当たり換気量、１回換気量、および処方設定、のうちの少なくとも１つに関する、請求項１８〜２２のいずれか一項に記載のシステム。
請求項２４：
前記サブスクリプションは、患者デバイスによって収集される個々のデータ項目の、ユーザーによる選択に基づいて少なくとも部分的に生成される、請求項１８〜２３のいずれか一項に記載のシステム。
請求項２５：
前記サブスクリプションは、使用データのサブセットを識別し、使用データの各サブセットに対する１つまたは複数のトリガリングイベントを識別する、請求項１８〜２４のいずれか一項に記載のシステム。
請求項２６：
前記使用データのサブセットは、デバイス設定、デバイス使用、故障、およびデバイスタイプに依存するデータ、のうちの少なくとも１つに関連したデータのサブセットを含む、請求項２５に記載のシステム。
請求項２７：
前記サブスクリプションに従って収集される前記使用データは、経時的に変化する、請求項１８〜２６のいずれか一項に記載のシステム。
請求項２８：
前記トリガリングイベントは、ａ）患者デバイスの１つまたは複数の設定での変化、ｂ）患者デバイスの１つまたは複数の構成要素での故障状態、ｃ）所定時間、およびｄ）使用データに対する要求を受信すること、のうちの少なくとも１つである、請求項１８〜２７のいずれか一項に記載のシステム。
請求項２９：
患者デバイスに対する電源がトリガリングイベントの前にスイッチオフされると、前記患者デバイスが電源オンの状態であるときに、前記トリガリングイベントが発生したことを決定する、請求項１８〜２８のいずれか一項に記載のシステム。
請求項３０：
前記トリガリングイベントは、睡眠データに基づいており、前記トリガリングイベントは、治療後期間、および治療セッションの最小期間、のうちの少なくとも１つを含む、請求項１８〜２９のいずれか一項に記載のシステム。
請求項３１：
前記サブスクリプションは、概要使用データとして提供される使用データの第１のサブセット、および詳細使用データとして提供される使用データの第２のサブセットを識別する、請求項１８〜２９のいずれか一項に記載のシステム。
請求項３２：
送信される前記使用データの一部は、経時的に減少する、請求項１８〜３１のいずれか一項に記載のシステム。
請求項３３：
送信される前記使用データの一部は、前記使用データの概要を示す代表値として提供される、請求項１８〜３２のいずれか一項に記載のシステム。
請求項３４：
患者データを管理する方法であって、
１つまたは複数のプロセッサーによって、複数の患者デバイスから使用データの送信を受信するステップであって、使用データのそれぞれの送信は、一組の命令で識別されたトリガリングイベントに従って発生される、ステップと、
前記１つまたは複数のプロセッサーによって、前記使用データをメモリに格納するステップであって、前記使用データは、受信された前記送信の送信元である、前記複数の患者デバイスのうちの各患者デバイスに関連付けて格納される、ステップと、
前記１つまたは複数のプロセッサーによって、格納された使用データの少なくとも一部に対する要求を受信するステップと、
前記１つまたは複数のプロセッサーによって、要求された使用データの一部を送信するステップと、
を含む、方法。
請求項３５：
前記一組の命令は、前記使用が送信される前に、満たされるべき複数の状態を識別し、前記トリガリングイベントは、前記状態のそれぞれが満たされたという決定を含む、請求項３４に記載の方法。
請求項３６：
使用データの送信を受信するステップは、第１の患者デバイスから第１のセットの使用データを受信し、第２の患者デバイスから第２のセットの使用データを受信するステップを含み、前記第１のセットの使用データは、第１のトリガリングイベントに従って送信され、前記第２のセットの使用データは、第２のトリガリングイベントに従って送信される、請求項３４または３５に記載の方法。
請求項３７：
前記第１のトリガリングイベントおよび前記第２のトリガリングイベントは、異なる基準に基づく、請求項３６に記載の方法。
請求項３８：
格納された使用データの少なくとも一部に対する要求は、前記複数の患者から第１の患者を識別し、前記使用データの一部は、該第１の患者に関連付けられる、請求項３４〜３７のいずれか一項に記載の方法。
請求項３９：
前記一組の命令は、所定の期間、前記患者デバイスを使用することを終了した患者、または前記使用データの或る側面において発生した変化、のうちの１つとして前記トリガリングイベントを識別する、請求項３４〜３８のいずれか一項に記載の方法。
請求項４０：
前記使用データは、前記複数の患者デバイスのうちの各患者デバイスが使用された期間に関連する、請求項３４〜３９のいずれか一項に記載の方法。